(57)【特許請求の範囲】
【請求項１】
羽根車全体あるいは羽根車の一部が吸込水槽の水位より高位置にあり、ポンプ吸込流路の天井の少なくとも一部が吸込水槽の水位より低位置に形成されている個所を有するチューブラ型ポンプ設備において、
ポンプと吸込水槽の間に逆流防止装置を設置し、吐出側の水でポンプを満水して始動するようにしたことを特徴とするチューブラ型ポンプ設備。
【請求項２】
前記逆流防止装置は、吸込流路の天井が吸込水槽の水位より低位置に形成されている個所に配置されていることを特徴とする請求項１記載のチューブラ型ポンプ設備。
【請求項３】
前記逆流防止装置は、吸込流路の天井が吸込水槽の水位より低位置に形成されている個所とポンプの間に配置されていることを特徴とする請求項１記載のチューブラ型ポンプ設備。
【請求項４】
前記逆流防止装置は、吸込流路の天井が吸込水槽の水位より低位置に形成されている個所と吸込水槽の間に配置されていることを特徴とする請求項１記載のチューブラ型ポンプ設備。
【請求項５】
前記逆流防止装置は、吸込流路の天井が吸込水槽の水位より低位置に形成されている個所と吸込水槽の間に配置されており、前記逆流防止装置は流路の天井よりも低く、吐出側の水位が高い場合には該逆流防止装置を越えて吸込水槽へ逆流可能にしたことを特徴とする請求項１記載のチューブラ型ポンプ設備。
【請求項６】
前記逆流防止装置は、吸込水槽からの吸込流路入口部に配置されており、該逆流防止装置の上方を吸込水槽に開放して吐出側の水位が高い場合には該逆流防止装置を越えて吸込水槽に逆流可能にしたことを特徴とする請求項１記載のチューブラ型ポンプ設備。
【発明の詳細な説明】
【０００１】
【発明の属する技術分野】
本発明はチューブラ型ポンプ設備に係り、特に支川から本川に流れ込む河川の合流点などで通常は本川の水位より支川の水位が高く、支川から自然流下で本川に流れ込むが、大雨の場合には支川の水位より本川の水位が高くなり自然流下しないので、支川の水を本川にポンプ設備で排水するような用途に使用するチューブラ型ポンプ設備に関する。
【０００２】
【従来の技術】
吸込水位と吐出水位の水位差である実揚程が小さく、しかも大水量を排水するポンプとして軸流ポンプや斜流ポンプを使用するが、全体事業費を縮減させるため土木費用や建屋費用が縮減できるチューブラ型ポンプを使用することは、従来も行われてきた。
チューブラ型ポンプは羽根車を含めてポンプケーシング内を完全に水没できるように吸込水位よりポンプ全体を下げて設置し、吸込側の水でポンプを満水にしてポンプを始動している。
吸込水位でポンプを満水できるようにポンプを深く設置できない場合には、真空ポンプを使用してポンプを満水にしてからポンプを始動している。
【０００３】
【発明が解決しようとする課題】
従来の技術においては、真空ポンプを使用せずにポンプを満水できるようにしようとすれば、ポンプの排水量が多く羽根車の直径が大きい大流量のチューブラ型ポンプ設備では、必然的に吸込水深が深く必要となり、結果としてポンプ設置レベルが深くなり、土木費用が増加して全体事業費を大きくする。
全体事業費を縮減させるためにはポンプ設置レベルを浅くし、しかも真空ポンプを使用せずにポンプを満水させることができるようにする必要がある。
本発明は上述の事情に鑑みなされたもので、ポンプの設置レベルを浅くして土木費用の縮減を図るとともに真空ポンプを使用せずにポンプを満水させることができるチューブラ型ポンプ設備を提供することを目的とする。
【０００４】
【課題を解決するための手段】
上述した目的を達成するため、本発明は、羽根車全体あるいは羽根車の一部が吸込水槽の水位より高位置にあり、ポンプ吸込流路の天井の少なくとも一部が吸込水槽の水位より低位置に形成されている個所を有するチューブラ型ポンプ設備において、ポンプと吸込水槽の間に逆流防止装置を設置し、吐出側の水でポンプを満水して始動するようにしたことを特徴とするものである。
【０００５】
従来、ポンプの吐出側に逆流防止装置を設け、吸込側の水でポンプ内を満水にしていたが、本発明によれば、ポンプの吸込側に逆流防止装置を設けることで、吸込水位よりも水位の高い吐出側の水でポンプを満水にすることによって、ポンプの設置レベルを浅くすることができる。
【０００６】
【発明の実施の形態】
以下、本発明に係るチューブラ型ポンプ設備を図面を参照して説明する。図１乃至図５において、同一の符号は同一の機器又は部分を示している。
図１は、本発明のチューブラ型ポンプ設備の第１の実施形態を示す概略断面図である。図１において、符号１は吐出側水面であり、符号９は吸込水槽における吸込水面であり、符号１０はポンプケーシングである。チューブラ型ポンプは、ポンプケーシング１０内にチューブラ型ポンプ駆動装置４、ガイドベーン５および羽根車６を備えている。
【０００７】
本発明においては、吸込流路の天井が吸込水槽の水位より低位置に形成されている吸込流路天井最低部７に逆流防止装置８としてフラップ弁を設置してあり、吐出ゲート開閉機２によって吐出ゲート３を開けることにより、吐出側の水でチューブラ型ポンプにおけるチューブラ型ポンプ駆動装置４、ガイドベーン５および羽根車６を満水にするものである。
【０００８】
上述の構成において、ポンプの吐出流路に設けた吐出ゲート３を全開にすると、吐出側水面１が羽根車６を含めポンプケーシングより高いので、吐出側の水が吐出流路から流入してチューブラ型ポンプにおけるチューブラ型ポンプ駆動装置４、ガイドベーン５および羽根車６を満水にする。
ポンプを始動すれば羽根車６の回転によってエネルギーを与えられた水がガイドベーン５を通って吐出される。逆流防止装置８にフラップ弁を使用すれば、チューブラ型ポンプの運転によってポンプ内の水が吐出されると、吸込水槽の水がフラップ弁からなる逆流防止装置８を通ってポンプに流入し、ポンプの運転が継続する。
【０００９】
図２は、本発明のチューブラ型ポンプ設備の第２の実施形態を示す概略断面図である。第２の実施形態においては、吸込流路の天井が吸込水槽の水位より低位置に形成されている吸込流路天井最低部７よりもチューブラ型ポンプにおけるチューブラ型ポンプ駆動装置４、ガイドベーン５および羽根車６に近い位置に逆流防止装置８が設置されている。第２の実施形態の場合は、図１に示す第１の実施形態の場合に比べて吸込流路面積が大きく、逆流防止装置の流過損失抵抗を小さくできる。この場合、逆流防止装置８の吸込水槽側上部に空気が残るが、量が少ないのでチューブラ型ポンプの始動及び運転に対する影響はない。
【００１０】
図３は、本発明のチューブラ型ポンプ設備の第３の実施形態を示す概略断面図である。第３の実施形態においては、吸込流路の天井が吸込水槽の水位より低位置に形成されている吸込流路天井最低部７よりも吸込水槽に寄った位置に逆流防止装置８が設置されている。第３の実施形態の場合は、図２に示す第２の実施形態の場合よりも吸込流路面積が大きく、逆流防止装置の流過損失抵抗を更に小さくすることができる。
【００１１】
図４は、本発明のチューブラ型ポンプ設備の第４の実施形態を示す概略断面図である。第４の実施形態においては、逆流防止装置８の設置位置を吸込流路の天井が吸込水槽の水位より低位置に形成されている吸込流路天井最低部７よりも吸込水槽に寄った位置とし、逆流防止装置８と天井との間に隙間Ｓを設けている。これにより、吐出側の水が逆流してきたときに逆流防止装置８を乗り越えて吸込水槽に逆流できるようにしており、チューブラ型ポンプ停止時に逆流防止装置部で発生する水撃作用による衝撃を緩和することができる。
【００１２】
図５は、本発明のチューブラ型ポンプ設備の第５の実施形態を示す概略断面図である。第５の実施形態においては、逆流防止装置８を吸込流路入口部に設置したもので、逆流防止装置８の上方を吸込水槽に開放しており、作用効果は図４に示す第４の実施形態の場合と同様であるが、逆流防止装置８が吸込流路入口部に設けてあるので、逆流防止装置８の点検・整備が容易である。
【００１３】
【発明の効果】
以上説明したように、本発明によれば、吐出側の水でチューブラ型ポンプを満水にできるのでチューブラ型ポンプの設置レベルを浅くすることができ、土木費用の縮減ができる。また、チューブラ型ポンプを満水するのに真空ポンプを使用しないので設備費が節減でき、満水時間も短いという利点がある。
【図面の簡単な説明】
【図１】図１は本発明のチューブラ型ポンプ設備の第１の実施形態を示し、吸込流路天井最低位置に逆流防止装置が配置されたポンプ設備断面図である。
【図２】図２は本発明のチューブラ型ポンプ設備の第２の実施形態を示し、吸込流路天井最低位置とポンプの間に逆流防止装置が配置されたポンプ設備断面図である。
【図３】図３は本発明のチューブラ型ポンプ設備の第３の実施形態を示し、吸込水槽と吸込流路天井最低位置の間に逆流防止装置が配置されたポンプ設備断面図である。
【図４】図４は本発明のチューブラ型ポンプ設備の第４の実施形態を示し、吸込水槽と吸込流路天井最低位置の間に越流可能逆流防止装置が配置されたポンプ設備断面図である。
【図５】図５は本発明のチューブラ型ポンプ設備の第５の実施形態を示し、吸込流路入口部に越流可能逆流防止装置が配置されたポンプ設備断面図である。
【符号の説明】
１    吐出側水面
２    吐出ゲート開閉機
３    吐出ゲート
４    チューブラ型ポンプ駆動装置
５    ガイドベーン
６    羽根車
７    吸込流路天井最低部
８    逆流防止装置
９    吸込水面
１０    ポンプケーシング
【図１】
0003929213.tif 000002
【図２】
0003929213.tif 000003
【図３】
0003929213.tif 000004
【図４】
0003929213.tif 000005
【図５】
0003929213.tif 000006